(57)【要約】【課題】  各弾性ワイヤの端部をゲルボックスに確実に連結すること。【解決手段】  ゲルボックス６の両側面６ａの下縁にガイド片１８が一体形成され、該各ガイド片１８の凹溝対向部分を切欠くことにより各凹溝１１の下端に連通する空気抜き孔１９が形成されており、接続配線１３を各ガイド片１８に沿ってゲルボックス６の背面６ｂから両側面６ａにかけて略コ字状に折り曲げ、その接続配線１３の両端部１３ａを瞬間接着剤２０によりゲルボックス６の両側面６ａに貼着し、各凹溝１１内に熱硬化性接着剤１４を充填し、加熱して熱硬化性接着剤１４を硬化させ、ゲルボックス６の両側面６ａに接続配線１３の両端部１３ａを貼着し、レンズホルダ７から延びる各弾性ワイヤ１５の他端部１５ｂを接続配線１３の各ランド１２に当接させ、その各ランド１２と各弾性ワイヤ１５の他端部１５ｂとを半田付けＰする。【選択図】        図２
2007234181.tif 000002
【特許請求の範囲】
【請求項１】
アクトベース上に止着されるゲルボックスの両側面のほぼ中央に該ゲルボックスの上下
面に露出する凹溝が凹設され、両端部に複数のランドを形成したフレキシブルプリント配
線からなる接続配線がアクトベースの上面に沿ってゲルボックスの背面から両側面にかけ
て略コ字状に折り曲げられることにより該接続配線の両端部により各凹溝の側面開口部が
塞がれ、前記各凹溝内に熱硬化性接着剤を充填し加熱することにより接続配線の両端部が
ゲルボックスの両側面に貼着され、対物レンズ付きレンズホルダから延びる複数の弾性ワ
イヤの端部が接続配線の各ランドに半田付けされており、前記接続配線から各弾性ワイヤ
を介してレンズホルダに設けた複数のコイルに通電することにより、該各コイルとアクト
ベース上のマグネットとの相互作用によりレンズホルダを駆動し、対物レンズからディス
クにレーザ光を投射し、その反射光を受光してディスクに記録されている情報を読み取る
ようにした光ピックアップにおいて、前記ゲルボックスの両側面の下縁に一体形成されて
前記接続配線の下縁を支持するガイド片が設けられ、該各ガイド片の凹溝対向部分を切欠
くことにより各凹溝の下端に連通する空気抜き孔が形成されており、接続配線を各ガイド
片に沿ってゲルボックスの背面から両側面にかけて略コ字状に折り曲げて該接続配線の両
端部により各凹溝の側面開口部を塞いだ状態で、その接続配線の両端部を瞬間接着剤によ
りゲルボックスの両側面に貼着するようにしたことを特徴とする光ピックアップ。
【請求項２】
アクトベース上に止着されるゲルボックスの両側面のほぼ中央に該ゲルボックスの上下
面に露出する凹溝が凹設され、両端部に複数のランドを形成したフレキシブルプリント配
線からなる接続配線がアクトベースの上面に沿ってゲルボックスの背面から両側面にかけ
て略コ字状に折り曲げられることにより該接続配線の両端部により各凹溝の側面開口部が
塞がれ、前記各凹溝内に熱硬化性接着剤を充填し加熱することにより接続配線の両端部が
ゲルボックスの両側面に貼着され、対物レンズ付きレンズホルダから延びる複数の弾性ワ
イヤの端部が接続配線の各ランドに半田付けされており、前記接続配線から各弾性ワイヤ
を介してレンズホルダに設けた複数のコイルに通電することにより、該各コイルとアクト
ベース上のマグネットとの相互作用によりレンズホルダを駆動し、対物レンズからディス
クにレーザ光を投射し、その反射光を受光してディスクに記録されている情報を読み取る
ようにした光ピックアップにおいて、前記各凹溝の下端に連通する空気抜き孔がゲルボッ
クスに形成されていることを特徴とする光ピックアップ。
【請求項３】
前記ゲルボックスの両側面の下縁に一体形成されて前記接続配線の下縁を支持するガイ
ド片が設けられ、該各ガイド片の凹溝対向部分を切欠くことにより前記空気抜き孔が形成
されており、接続配線を各ガイド片に沿ってゲルボックスの背面から両側面にかけて略コ
字状に折り曲げて該接続配線の両端部により各凹溝の側面開口部を塞いだ状態で、その接
続配線の両端部を瞬間接着剤によりゲルボックスの両側面に貼着するようにしたことを特
徴とする請求項２に記載の光ピックアップ。
【発明の詳細な説明】
【技術分野】
【０００１】
本発明は、ディスク装置（例えばＤＶＤレコーダやＤＶＤプレーヤなど）に使用される
光ピックアップに関し、特に、レンズホルダから延びる各弾性ワイヤのゲルボックスに対
する連結を確実に行うことができるようにする。
【背景技術】
【０００２】
従来、光ピックアップの技術の一例として図５に示すものがある。これは、ガイドレー
ル１に支持されてディスクＤ〔図１（ｂ）参照〕の半径方向に沿って往復移動ａ，ｂ可能
な金属製スライドベース２上にアクチュエータ３を配置したものであって、該アクチュエ
ータ３が、スライドベース２上の所定位置に固定した金属製アクトベース４と、該アクト
ベース４上にビス５により止着した合成樹脂製ゲルボックス６と、該ゲルボックス６に対
向してアクトベース４の上方に配置した対物レンズＯＬ付きレンズホルダ７と、該レンズ
ホルダ７に取り付けた複数のコイル（フォーカスコイル、トラッキングコイル及びチルト
コイル）８に接近してアクトベース４から切り起こした支持板４ａに固定したマグネット
９と、アクトベース４から切り起こされてレンズホルダ７内に挿通されたヨーク４ｂとを
有している。
【０００３】
前記ゲルボックス６の両側面６ａのほぼ中央に該ゲルボックス６の上下両面に露出する
凹溝１１が凹設されており、組立手順を説明すると、両端部に複数のランド１２を形成し
たフレキシブルプリント配線からなる接続配線１３をアクトベース４の上面に沿ってゲル
ボックス６の背面６ｂから両側面６ａにかけて略コ字状に折り曲げ、これによって、接続
配線１３の両端部１３ａにより各凹溝１１の側面開口部を塞いだ状態で、各凹溝１１に熱
硬化性接着剤１４を充填し、例えば８０°Ｃで２０〜３０分加熱して熱硬化性接着剤１４
を硬化させ、ゲルボックス６の両側面６ａに接続配線１３の両端部１３ａを貼着し、次に
、レンズホルダ７に一端部１５ａを半田付けＰした複数（この例では３本ずつ）の弾性ワ
イヤ１５の他端部１５ｂを接続配線１３の各ランド１２に半田付けＰする。なお、前記接
続配線１３はスライドベース２上の制御基板１６に接続されている。また、ゲルボックス
６内にゲルＧが充填されており、そのゲルＧ中に各弾性ワイヤ１５が挿通されている。
【０００４】
情報読取手順を説明すると、ディスク装置に内蔵したマイコンからなる制御部の制御に
より、制御基板１６から接続配線１３及び各弾性ワイヤ１５を介して各コイル８に通電し
てレンズホルダ７を駆動し、レーザ光を対物レンズＯＬを介してディスクＤに投射し、そ
の反射光を受光してディスクＤに記録されている情報を読み取る。なお、本発明と関連す
る特許文献１として下記のものがある。
【特許文献１】特開２００５−２５１３６５号公報
【発明の開示】
【発明が解決しようとする課題】
【０００５】
上記従来の構成では、各凹溝１１の側面開口部が接続配線１３の両端部１３ａで塞がれ
ると共に、該各凹溝１１の下面開口部もアクトベース４で塞がれており、その各凹溝１１
の上面開口部しか開放されていない。従って、上面開口部から各凹溝１１内に熱硬化性接
着剤１４を充填したときに、該各凹溝１１内の空気が逃げ場を失って、その各凹溝１１内
の下部に空気溜まりが形成され、その空気溜まりにより熱硬化性接着剤１４の充填が不充
分となり、接続配線１３の両端部１３ａの空気溜まりに対応する部分がゲルボックス６の
両側面６ａから剥離されやすく、その剥離が生じると、各弾性ワイヤ１５のゲルボックス
６に対する連結が不確実なものとなり、レンズホルダ７を所望通りに精密に駆動すること
が困難になる。
【０００６】
本発明は、上記従来の欠点に鑑み、レンズホルダから延びる各弾性ワイヤのゲルボック
スに対する連結を確実に行うことができるようにした光ピックアップを提供することを目
的としている。
【課題を解決するための手段】
【０００７】
上記目的を達成するため、請求項１に記載の発明は、アクトベース上に止着されるゲル
ボックスの両側面のほぼ中央に該ゲルボックスの上下面に露出する凹溝が凹設され、両端
部に複数のランドを形成したフレキシブルプリント配線からなる接続配線がアクトベース
の上面に沿ってゲルボックスの背面から両側面にかけて略コ字状に折り曲げられることに
より該接続配線の両端部により各凹溝の側面開口部が塞がれ、前記各凹溝内に熱硬化性接
着剤を充填し加熱することにより接続配線の両端部がゲルボックスの両側面に貼着され、
対物レンズ付きレンズホルダから延びる複数の弾性ワイヤの端部が接続配線の各ランドに
半田付けされており、前記接続配線から各弾性ワイヤを介してレンズホルダに設けた複数
のコイルに通電することにより、該各コイルとアクトベース上のマグネットとの相互作用
によりレンズホルダを駆動し、対物レンズからディスクにレーザ光を投射し、その反射光
を受光してディスクに記録されている情報を読み取るようにした光ピックアップにおいて
、前記ゲルボックスの両側面の下縁に一体形成されて前記接続配線の下縁を支持するガイ
ド片が設けられ、該各ガイド片の凹溝対向部分を切欠くことにより各凹溝の下端に連通す
る空気抜き孔が形成されており、接続配線を各ガイド片に沿ってゲルボックスの背面から
両側面にかけて略コ字状に折り曲げて該接続配線の両端部により各凹溝の側面開口部を塞
いだ状態で、その接続配線の両端部を瞬間接着剤によりゲルボックスの両側面に貼着する
ようにしたことを特徴としている。
【０００８】
請求項２に記載の発明は、アクトベース上に止着されるゲルボックスの両側面のほぼ中
央に該ゲルボックスの上下面に露出する凹溝が凹設され、両端部に複数のランドを形成し
たフレキシブルプリント配線からなる接続配線がアクトベースの上面に沿ってゲルボック
スの背面から両側面にかけて略コ字状に折り曲げられることにより該接続配線の両端部に
より各凹溝の側面開口部が塞がれ、前記各凹溝内に熱硬化性接着剤を充填し加熱すること
により接続配線の両端部がゲルボックスの両側面に貼着され、対物レンズ付きレンズホル
ダから延びる複数の弾性ワイヤの端部が接続配線の各ランドに半田付けされており、前記
接続配線から各弾性ワイヤを介してレンズホルダに設けた複数のコイルに通電することに
より、該各コイルとアクトベース上のマグネットとの相互作用によりレンズホルダを駆動
し、対物レンズからディスクにレーザ光を投射し、その反射光を受光してディスクに記録
されている情報を読み取るようにした光ピックアップにおいて、前記各凹溝の下端に連通
する空気抜き孔がゲルボックスに形成されていることを特徴としている。
【０００９】
請求項３に記載の発明は、請求項２に記載の発明において、前記ゲルボックスの両側面
の下縁に一体形成されて前記接続配線の下縁を支持するガイド片が設けられ、該各ガイド
片の凹溝対向部分を切欠くことにより前記空気抜き孔が形成されており、接続配線を各ガ
イド片に沿ってゲルボックスの背面から両側面にかけて略コ字状に折り曲げて該接続配線
の両端部により各凹溝の側面開口部を塞いだ状態で、その接続配線の両端部を瞬間接着剤
によりゲルボックスの両側面に貼着するようにしたことを特徴としている。
【発明の効果】
【００１０】
請求項１に記載の発明は実施の一形態（図１〜図４参照）に対応するものであって、こ
れによれば、ゲルボックスの両側面に形成した凹溝の側面開口部が接続配線の両端部によ
り塞がれると共に、該各凹溝の下面開口部がアクトベースにより塞がれているが、その凹
溝の下端に連通する空気抜き孔がゲルボックスに形成されているので、上面開口部から各
凹溝内に熱硬化性接着剤を充填したときに、該各凹溝内の空気が空気抜き孔から外部に逃
げて、その各凹溝内に隙間無く熱硬化性接着剤が充分に充填され、接続配線の両端部をゲ
ルボックスの両側面に確実に貼着することができ、従来のように各凹溝内に空気溜まりが
形成されることにより接続配線の両端部がゲルボックスの両側面から剥離されるという難
点を解消することができる。
【００１１】
また、ゲルボックスの両側面の下縁にガイド片が一体形成されているので、その各ガイ
ド片に沿って接続配線をゲルボックスの背面から両側面にかけて略コ字状に所望通りに配
置することができ、しかも、各ガイド片の凹溝対向部分を切欠くだけで空気抜き孔を形成
することができ、構造簡単で製作費を安くすることができる。
【００１２】
更に、ゲルボックスの背面から両側面にかけて略コ字状に所望通りに配置した接続配線
を瞬間接着剤で瞬時に仮固定するので、熱硬化性接着剤による本固定を所望通りに確実に
行うことができる。
【００１３】
請求項２に記載の発明は基本形態に対応するものであって、これによれば、ゲルボック
スの両側面に形成した凹溝の側面開口部が接続配線の両端部により塞がれると共に、該各
凹溝の下面開口部がアクトベースにより塞がれているが、その凹溝の下端に連通する空気
抜き孔がゲルボックスに形成されているので、上面開口部から各凹溝内に熱硬化性接着剤
を充填したときに、該各凹溝内の空気が空気抜き孔から外部に逃げて、その各凹溝内に隙
間無く熱硬化性接着剤が充分に充填され、接続配線の両端部をゲルボックスの両側面に確
実に貼着することができ、従来のように各凹溝内に空気溜まりが形成されることにより接
続配線の両端部がゲルボックスの両側面から剥離されるという難点を解消することができ
る。
【００１４】
請求項３に記載の発明によれば、ゲルボックスの両側面の下縁にガイド片が一体形成さ
れているので、その各ガイド片に沿って接続配線をゲルボックスの背面から両側面にかけ
て略コ字状に所望通りに配置することができ、しかも、各ガイド片の凹溝対向部分を切欠
くだけで空気抜き孔を形成することができ、構造簡単で製作費を安くすることができる。
【００１５】
また、ゲルボックスの背面から両側面にかけて略コ字状に所望通りに配置した接続配線
を瞬間接着剤で瞬時に仮固定するので、熱硬化性接着剤による本固定を所望通りに確実に
行うことができる。
【発明を実施するための最良の形態】
【００１６】
図１〜図４は本発明の実施の一形態である光ピックアップのアクチュエータ３を示すも
のであって、ゲルボックス６の両側面６ａの下縁に一体形成されて接続配線１３の下縁を
支持するガイド片１８が設けられ、該各ガイド片１８の各凹溝１１に対向する凹溝対向部
分を切欠くことにより、各凹溝１１の下端に連通する空気抜き孔１９が形成されている。
上記以外の構成は図５に示す構成とほぼ同じであるから、同一部分に同一符号を付してそ
の説明を省略する。
【００１７】
組立手順を説明すると、図４（ａ）に示すように、ゲルボックス６の両側面６ａに瞬間
接着剤２０を塗布した後、弾性変位可能な接続配線１３の両端部１３ａをその弾性力に抗
して略コ字状に折り曲げ、その略コ字状接続配線１３を各ガイド片１８に沿ってゲルボッ
クス６の背面６ｂから両側面６ａにかけて配置する。
【００１８】
図４（ｂ）に示すように、接続配線１３の両端部１３ａにより各凹溝１１の側面開口部
を塞いだ状態で、その接続配線１３の両端部１３ａを瞬間接着剤２０によりゲルボックス
６の両側面６ａに貼着する。これによって、接続配線１３の両端部１３ａがその弾性力で
元の直線状態〔図４（ａ）実線参照〕に戻るのを阻止する。
【００１９】
図４（ｂ）に仮想線で示すように、充填器２１により熱硬化性接着剤１４を各凹溝１１
の上面開口部から該各凹溝１１内に充填し、例えば８０°Ｃで２０〜３０分加熱して熱硬
化性接着剤１４を硬化させ、ゲルボックス６の両側面６ａに接続配線１３の両端部１３ａ
を貼着する。このとき、各凹溝１１内の空気は空気抜き孔１９から外部に排出されるから
、その各凹溝１１内に空気溜まりが生じないように熱硬化性接着剤１４が充分に充填され
る〔図１（ｃ）参照〕。
【００２０】
図４（ｃ）に示すように、レンズホルダ７から延びる各弾性ワイヤ１５の他端部１５ｂ
を接続配線１３の各ランド１２に当接させ、その各ランド１２と各弾性ワイヤ１５の他端
部１５ｂとを半田付けＰする。
【００２１】
上記構成によれば、ゲルボックス６の両側面６ａに形成した凹溝１１の側面開口部が接
続配線１３の両端部１３ａにより塞がれると共に、該各凹溝１１の下面開口部がアクトベ
ース４により塞がれているが、その凹溝１１の下端に連通する空気抜き孔１９がゲルボッ
クス６に形成されているので、各凹溝１１の上面開口部から該各凹溝１１内に熱硬化性接
着剤１４を充填したときに、該各凹溝１１内の空気が空気抜き孔１９から外部に逃げて、
その各凹溝１１内に隙間無く熱硬化性接着剤１４が充分に充填され、接続配線１３の両端
部１３ａをゲルボックス６の両側面６ａに確実に貼着することができ、従来のように各凹
溝１１内に空気溜まりが形成されることにより接続配線１３の両端部１３ａがゲルボック
ス６の両側面６ａから剥離してレンズホルダ７を所望通りに精密に駆動することが困難に
なるという難点を解消することができる。
【００２２】
また、ゲルボックス６の両側面６ａの下縁にガイド片１８が一体形成されているので、
その各ガイド片１８に沿って接続配線１３をゲルボックス６の背面６ｂから両側面６ａに
かけて略コ字状に所望通りに配置することができ、しかも、各ガイド片１８の凹溝対向部
分を切欠くだけで空気抜き孔１９を形成することができ、構造簡単で製作費を安くするこ
とができる。
【００２３】
更に、ゲルボックス６の背面６ｂから両側面６ａにかけて略コ字状に所望通りに配置し
た接続配線１３を瞬間接着剤２０で瞬時に仮固定するので、熱硬化性接着剤１４による本
固定を所望通りに確実に行うことができる。
【００２４】
上記実施の形態では、各ガイド片１８の凹溝対向部分を切欠くことにより各凹溝１１の
下端に連通する空気抜き孔１９を形成したが、これに限定されるわけではなく、その各ガ
イド片１８以外のゲルボックス６の適所に空気抜き孔１９を形成してもよい。
【図面の簡単な説明】
【００２５】
【図１】（ａ）は本発明の実施の一形態である光ピックアップのアクチュエータを示す一部切欠き平面図、（ｂ）は同一部切欠き側面図、（ｃ）はＡ−Ａ矢視図である。
【図２】同分解斜視図である。
【図３】同要部の下面側分解斜視図である。
【図４】（ａ）〜（ｃ）は組立手順を示す斜視図である。
【図５】従来例を示す斜視図である。
【符号の説明】
【００２６】
４        アクトベース
６        ゲルボックス
６ａ      ゲルボックスの側面
６ｂ      ゲルボックスの背面
７        レンズホルダ
９        マグネット
１１      凹溝
１２      ランド
１３      接続配線
１３ａ    接続配線の端部
１４      熱硬化性接着剤
１５      弾性ワイヤ
１５ａ    弾性ワイヤの一端部
１５ｂ    弾性ワイヤの他端部
１８      ガイド片
１９      空気抜き孔
２０      瞬間接着剤
ＯＬ      対物レンズ
Ｐ        半田付け
【図１】
2007234181.tif 000003
【図２】
2007234181.tif 000004
【図３】
2007234181.tif 000005
【図４】
2007234181.tif 000006
【図５】
2007234181.tif 000007